(57)【要約】【課題】  利用者が所有するＩＣ券を流用することができ，利用者の利便性を向上させることの可能な，ＩＣ定期券発券装置およびＩＣ定期券発券システムを提供する。【解決手段】  ＩＣ定期券発券装置１００は，定期券発券のための案内を表示するとともに，情報入力操作を受け付けるタッチパネル付き表示部１２０と，利用者が所有するＩＣ券の挿入を受け付けるカード処理部１５０と，カード処理部に挿入されたＩＣ券の有効性を判断する制御部１１０と，ＩＣ券が有効である場合に，操作表示部に入力された情報に基づき，ＩＣ券に情報を記録してＩＣ定期券として発券するＩＣ定期券発券部１６０とを含む。ＩＣ券としては種類の異なるＳＦＩＣ券や，期限切れＩＣ定期券であっても，ＩＣ券としての有効性が確認さえできればＩＣ定期券として発券することができる。【選択図】  図１
2006277679.tif 000002
【特許請求の範囲】
【請求項１】
定期券発券のための案内を表示するとともに，情報入力操作を受け付ける操作表示部と，
利用者が所有するＩＣ券の挿入を受け付けるカード処理部と，
前記カード処理部に挿入されたＩＣ券の有効性を判断するＩＣ券判断部と，
前記ＩＣ券が有効である場合に，前記操作表示部に入力された情報に基づき，前記ＩＣ券に情報を記録してＩＣ定期券として発券するＩＣ定期券発券部と，
を含むことを特徴とする，ＩＣ定期券発券装置。
【請求項２】
前記カード処理部が挿入を受け付けるＩＣ券は，過去に少なくとも一度ＩＣ定期券として使用され，現在はＩＣ定期券として使用されていないものであることを特徴とする，請求項１に記載のＩＣ定期券発券装置。
【請求項３】
前記カード処理部に挿入されたＩＣ券が，過去にＩＣ定期券として使用された有効期間満了から所定期間内である場合，前記カード処理部に挿入されたＩＣ券を継続定期券として発券することを特徴とする，請求項２に記載のＩＣ定期券発券装置。
【請求項４】
前記継続定期券を発券する場合，前記ＩＣ定期券に記録された有効期間を有効期間とし，発券日を利用開始日として，前記操作表示部に表示して前記利用者に確認を求めることを特徴とする，請求項３に記載のＩＣ定期券発券装置。
【請求項５】
前記カード処理部が挿入を受け付けるＩＣ券は，ＳＦＩＣ券であることを特徴とする，請求項１〜４のいずれかに記載のＩＣ定期券発券装置。
【請求項６】
前記ＩＣ券判断部は，前記ＩＣ券の識別情報を外部のホストに送信し，前記ホストから前記ＩＣ券の有効性に関する情報を受信することを特徴とする，請求項１〜５のいずれかに記載のＩＣ定期券発券装置。
【請求項７】
前記ＩＣ券判断部は，前記ＩＣ券が紛失券であるかという情報に基づいて，前記ＩＣ券の有効性を判断することを特徴とする，請求項１〜６のいずれかに記載のＩＣ定期券発券装置。
【請求項８】
前記ＩＣ券判断部は，前記ＩＣ券の劣化に関する情報に基づいて，前記ＩＣ券の有効性を判断することを特徴とする，請求項１〜７のいずれかに記載のＩＣ定期券発券装置。
【請求項９】
前記操作表示部は，新規にＩＣ定期券を発券するか，利用者が所有するＩＣ券を使用してＩＣ定期券を発券するかを利用者に選択させるための情報を表示し，
前記カード処理部は，利用者が所有するＩＣ券を利用してＩＣ定期券を発券することを利用者が選択した場合にのみ，ＩＣ券の挿入を受け付けることを特徴とする，請求項１〜８のいずれかに記載のＩＣ定期券発券装置。
【請求項１０】
前記操作表示部は，前記挿入されたＩＣ券に前記ＩＣ定期券を発券するための情報が記録されている場合に，前記ＩＣ券に記録された情報を表示するとともに，前記ＩＣ券に記録された情報を修正するための情報を表示することを特徴とする，請求項１〜９のいずれかに記載のＩＣ定期券発券装置。
【請求項１１】
前記操作表示部は，前記挿入されたＩＣ券に個人情報が記録されていない場合に，個人情報を入力するための情報を表示することを特徴とする，請求項１〜１０のいずれかに記載のＩＣ定期券発券装置。
【請求項１２】
前記ＩＣ定期券発券部は，前記ＩＣ券の情報記録部に情報を記録するとともに，前記ＩＣ券の表面に，所定の情報を可視印刷することを特徴とする，請求項１〜１１のいずれかに記載のＩＣ定期券発券装置。
【請求項１３】
ＩＣ定期券を発券するＩＣ定期券発券装置と，前記ＩＣ定期券発券装置と情報の送受信を行うホストとを含むＩＣ定期券発券システムにおいて，
前記ＩＣ定期券発券装置は，
定期券発券のための案内を表示するとともに，情報入力操作を受け付ける操作表示部と，
利用者が所有するＩＣ券の挿入を受け付けるカード処理部と，
前記カード処理部に挿入されたＩＣ券の有効性を判断するＩＣ券判断部と，
前記ＩＣ券が有効である場合に，前記操作表示部に入力された情報に基づき，前記ＩＣ券に情報を記録してＩＣ定期券として発券するＩＣ定期券発券部と，
を含み，
前記ホストは，前記ＩＣ券の有効性に関する情報を管理することを特徴とする，ＩＣ定期券発券システム。
【請求項１４】
前記ホストは，前記ＩＣ券が紛失券であるかという情報を管理することを特徴とする，請求項１３に記載のＩＣ定期券発券システム。
【請求項１５】
前記ホストは，前記ＩＣ券の劣化に関する情報を管理することを特徴とする，請求項１３または１４に記載のＩＣ定期券発券システム。
【請求項１６】
前記カード処理部が挿入を受け付けるＩＣ券は，過去に少なくとも一度ＩＣ定期券として使用され，現在はＩＣ定期券として使用されていないものであることを特徴とする，請求項１３〜１５のいずれかに記載のＩＣ定期券発券システム。
【請求項１７】
前記カード処理部に挿入されたＩＣ券が，過去にＩＣ定期券として使用された有効期間満了から所定期間内である場合，前記カード処理部に挿入されたＩＣ券を継続定期券として発券することを特徴とする，請求項１６に記載のＩＣ定期券発券システム。
【請求項１８】
前記継続定期券を発券する場合，前記ＩＣ定期券に記録された有効期間を有効期間とし，発券日を利用開始日として，前記操作表示部に表示して前記利用者に確認を求めることを特徴とする，請求項１７に記載のＩＣ定期券発券システム。
【請求項１９】
前記カード処理部が挿入を受け付けるＩＣ券は，ＳＦＩＣ券であることを特徴とする，請求項１３〜１８のいずれかに記載のＩＣ定期券発券システム。
【請求項２０】
前記操作表示部は，新規にＩＣ定期券を発券するか，利用者が所有するＩＣ券を使用してＩＣ定期券を発券するかを利用者に選択させるための情報を表示し，
前記カード処理部は，利用者が所有するＩＣ券を利用してＩＣ定期券を発券することを利用者が選択した場合にのみ，ＩＣ券の挿入を受け付けることを特徴とする，請求項１３〜１９のいずれかに記載のＩＣ定期券発券システム。
【請求項２１】
前記操作表示部は，前記挿入されたＩＣ券に前記ＩＣ定期券を発券するための情報が記録されている場合に，前記ＩＣ券に記録された情報を表示するとともに，前記ＩＣ券に記録された情報を修正するための情報を表示することを特徴とする，請求項１３〜２０のいずれかに記載のＩＣ定期券発券システム。
【請求項２２】
前記操作表示部は，前記挿入されたＩＣ券に個人情報が記録されていない場合に，個人情報を入力するための情報を表示することを特徴とする，請求項１３〜２１のいずれかに記載のＩＣ定期券発券システム。
【請求項２３】
前記カード処理部が挿入を受け付けるＩＣ券は，ＳＦＩＣ券であることを特徴とする，請求項１３〜２２のいずれかに記載のＩＣ定期券発券システム。
【請求項２４】
前記カード処理部が挿入を受け付けるＩＣ券は，過去に少なくとも一度ＩＣ定期券として使用され，現在はＩＣ定期券として使用されていないものであることを特徴とする，請求項１３〜２３のいずれかに記載のＩＣ定期券発券システム。
【請求項２５】
前記ＩＣ定期券発券部は，前記ＩＣ券の情報記録部に情報を記録するとともに，前記ＩＣ券の表面に，所定の情報を可視印刷することを特徴とする，請求項１３〜２４のいずれかに記載のＩＣ定期券発券システム。
【発明の詳細な説明】
【技術分野】
【０００１】
本発明は，ＩＣ定期券発券装置およびＩＣ定期券発券システムにかかり，特に，ＩＣ券（ＩＣカード）の再利用または流用を行うＩＣ定期券発券装置およびＩＣ定期券発券システムに関する。
【背景技術】
【０００２】
定期券利用者の便宜を図るため，ＩＣ（Integrated
Circuit）チップに定期券の情報を埋め込んだＩＣ定期券が実用化されている。ＩＣ定期券は磁気定期券と異なり，定期券自体が高価であるため，ＩＣ定期券の再利用を行う試みがなされている。例えば，特開平８−３０８１５号公報（特許文献１）では，挿入されたＩＣ定期券が，（１）更新条件（定期券の使用可能期限が過ぎているか，および，継続購入期間に達しているか）を満足するかを判断し，（２）印刷エリアに残りがあるかを判断し，（３）最初に発券されてから予め設定した有効期間（券の劣化を考慮したもの）を過ぎているかを判断することで，挿入されたＩＣ定期券の流用可否を判断している。
【０００３】
また，上述のように，ＩＣ定期券は定期券自体が高価であるため，ＩＣ定期券を販売する際，利用者に，運賃とは別に，定期券自体のデポジット額を負担させている。そして，利用者は，使い終わった定期券を返却すればデポジット額が戻ってくる形態をとっている。定期券の返却は，窓口での扱い業務であり，駅係員が対応して，回収，返金を行っている。
【０００４】
従来は，使用中（使用可能期限内）のＩＣ定期券の情報を更新して継続発券することはできたが，使用を終えたＩＣ定期券を使用し新規発券することができなかった。例えば，長期休暇を挟んで同じ区間の定期券を購入したい利用者や，期限が切れた後に，区間を変更して定期券を購入したい利用者は，一旦窓口で定期券を返却し，再度購入する必要があった。また，利用者操作型の定期券発券装置が設置されていても，上記のような場合には窓口を利用する必要があり，不便を強いられていた。駅側としても，利用者操作型の定期券発券装置を設置しても，窓口の混雑を解消できないという課題があった。
【０００５】
また，ＩＣ定期券として使用されるＩＣ券を，電子マネーとしても利用できるＳＦ（Ｓｔｏｒｅｄ  Ｆａｉｒ）ＩＣ乗車券として流通させている場合がある。しかしながら，ＳＦＩＣ乗車券を所有する利用者が，ＩＣ定期券を購入しようとする場合，所有するＳＦＩＣ乗車券が，ＩＣ券としてはＩＣ定期券と同一であっても，新たにデポジット額を負担して，ＩＣ定期券を購入する必要があった。
【０００６】
【特許文献１】特開平８−３０８１５号公報
【発明の開示】
【発明が解決しようとする課題】
【０００７】
本発明は，従来のＩＣ定期券発券装置が有する上記問題点に鑑みてなされたものであり，本発明の目的は，利用者が所有するＩＣ券（ＳＦＩＣ券，期限切れ定期券などを含む）を流用することができ，利用者の利便性を向上させることの可能な，新規かつ改良されたＩＣ定期券発券装置およびＩＣ定期券発券システムを提供することである。
【課題を解決するための手段】
【０００８】
上記課題を解決するため，本発明の第１の観点によれば，ＩＣ定期券発券装置が提供される。本発明のＩＣ定期券発券装置は，定期券発券のための案内を表示するとともに，情報入力操作を受け付ける操作表示部（１２０）と，利用者が所有するＩＣ券の挿入を受け付けるカード処理部（１５０）と，カード処理部に挿入されたＩＣ券の有効性を判断するＩＣ券判断部（１１０）と，ＩＣ券が有効である場合に，操作表示部に入力された情報に基づき，ＩＣ券に情報を記録してＩＣ定期券として発券するＩＣ定期券発券部（１６０）と，を含むことを特徴とする（請求項１）。
【０００９】
かかる構成によれば，ＩＣ定期券を発券する際，利用者が所有するＩＣ券を使用するか否かを選択させることができる。そして，利用者が所有するＩＣ券が，ＩＣ券としては種類の異なるＳＦＩＣ券や，期限切れＩＣ定期券であっても，ＩＣ券としての有効性が確認さえできればＩＣ定期券として発券することができる。このようにして，利用者が所有するＩＣ券を流用するか否かを選択することができ，利用者の利便性を向上させることが可能である。
【００１０】
カード処理部（１５０）が挿入を受け付けるＩＣ券は，過去に少なくとも一度ＩＣ定期券として使用され，現在はＩＣ定期券として使用されていないものであってもよい（請求項２）。特に，継続定期券を発券する際に有効である。利用者が所有するＩＣ券がこのような期限切れＩＣ定期券であっても，ＩＣ券としての有効性が確認さえできれば，ＩＣ定期券として発券することができ，媒体の流用を図ることができる。
【００１１】
上述のように，カード処理部（１５０）に挿入されたＩＣ券が，過去にＩＣ定期券として使用された有効期間満了から所定期間内である場合，カード処理部に挿入されたＩＣ券を継続定期券として発券するようにしてもよい（請求項３）。ＩＣ定期券の情報を記憶部等や外部のホスト等で管理する場合に，所定期間だけ管理しておくことで，効率的な情報管理が可能となる。そして，有効期間満了から所定期間内であれば過去の情報を流用することができるので，定期券発券時の操作性向上および操作時間の短縮を図ることができる。
【００１２】
継続定期券を発券する場合，ＩＣ定期券に記録された有効期間を有効期間とし，発券日を利用開始日として，操作表示部（１２０）に表示して利用者に確認を求めるようにしてもよい（請求項４）。有効期間は変更されにくい情報であるため，そのまま情報を流用することができる。このようにして，有効期間や利用開始日の入力作業を省くことができ，定期券発券時の操作性向上および操作時間の短縮を図ることができる。操作表示部の画面には，必要に応じて修正画面を表示させることも可能である。例えば，利用開始日を発券日の翌日や，利用者の指定日に修正することも可能である。
【００１３】
カード処理部（１５０）が挿入を受け付けるＩＣ券は，ＳＦＩＣ券であってもよい（請求項５）。特に，新規定期券を発券する際に有効である。ＩＣ券としては種類の異なるＳＦＩＣ券であっても，ＩＣ券としての有効性が確認さえできれば，ＩＣ定期券として発券することができ，媒体の流用を図ることができる。
【００１４】
ＩＣ券判断部（１１０）は，ＩＣ券の識別情報を外部のホスト（２００）に送信し，ホストからＩＣ券の有効性に関する情報を受信するようにしてもよい（請求項６）。ＩＣ券判断部では，外部のホストからの情報を受信することで，ＩＣ券の有効性を判断することができる。そして，定期券発券装置の外部に専用のホストを設置することで，リアルタイムな情報の更新が可能である。
【００１５】
ＩＣ券判断部（１１０）は，ＩＣ券が紛失券であるかという情報に基づいて，ＩＣ券の有効性を判断するようにしてもよい（請求項７）。ここで紛失とは，利用者の不注意等による紛失のほか，盗難等による紛失なども含む。かかる構成によれば，不正利用を防止した上でのＩＣ券の流用を行うことができる。
【００１６】
ＩＣ券判断部（１１０）は，ＩＣ券の劣化に関する情報に基づいて，ＩＣ券の有効性を判断するようにしてもよい（請求項８）。ここで，ＩＣ券の劣化に関する情報とは，劣化を考慮して予め設定された有効期間に関する情報や，ＩＣから所定の情報が読み出せなかった場合に劣化していると判断できる情報や，ＩＣ券の形式が更新された場合に，更新前の旧形式のＩＣ券であるか否かを判断できる情報などを含む。かかる構成によれば，不正利用を防止した上でのＩＣ券の流用を行うことができるほか，利用者に最新の形式のＩＣ券への更新を促すことができる。
【００１７】
操作表示部（１２０）は，新規にＩＣ定期券を発券するか，利用者が所有するＩＣ券を使用してＩＣ定期券を発券するかを利用者に選択させるための情報を表示し，カード処理部（１５０）は，利用者が所有するＩＣ券を利用してＩＣ定期券を発券することを利用者が選択した場合にのみ，ＩＣ券の挿入を受け付けるようにしてもよい（請求項９）。
【００１８】
操作表示部（１２０）は，挿入されたＩＣ券にＩＣ定期券を発券するための情報が記録されている場合に，ＩＣ券に記録された情報を表示するとともに，ＩＣ券に記録された情報を修正するための情報を表示するようにしてもよい（請求項１０）。かかる構成によれば，ＩＣ券の記録された情報を有効に利用することができる。これにより，例えば，通常変更されない情報（氏名など）や，変更されにくい情報（区間，有効期間，住所，電話番号など）の入力作業を省くことができ，定期券発券時の操作性向上および操作時間の短縮を図ることができる。また，操作表示部の画面上において，修正可能な項目を別の色で表示するなどすれば，さらに操作性が向上する。
【００１９】
操作表示部（１２０）は，挿入されたＩＣ券に個人情報が記録されていない場合に，個人情報を入力するための情報を表示するようにしてもよい（請求項１１）。
【００２０】
ＩＣ定期券発券部（１６０）は，ＩＣ券の情報記録部（ＩＣまたは磁気ストライプ等）に情報を記録するとともに，ＩＣ券の表面に，所定の情報を可視印刷するようにしてもよい（請求項１２）。
【００２１】
上記課題を解決するため，本発明の第２の観点によれば，ＩＣ定期券を発券するＩＣ定期券発券装置（１００）と，ＩＣ定期券発券装置と情報の送受信を行うホスト（２００）とを含むＩＣ定期券発券システム（１０）が提供される。本発明のＩＣ定期券発券システムにおいて，ＩＣ定期券発券装置は，定期券発券のための案内を表示するとともに，情報入力操作を受け付ける操作表示部（１２０）と，利用者が所有するＩＣ券の挿入を受け付けるカード処理部（１５０）と，カード処理部に挿入されたＩＣ券の有効性を判断するＩＣ券判断部（１１０）と，ＩＣ券が有効である場合に，操作表示部に入力された情報に基づき，ＩＣ券に情報を記録してＩＣ定期券として発券するＩＣ定期券発券部（１６０）と，を含み，ホストは，ＩＣ券の有効性に関する情報を管理することを特徴とする（請求項１３）。
【００２２】
かかるシステムによれば，ＩＣ定期券を発券する際，利用者が所有するＩＣ券を使用するか否かを選択させることができる。そして，利用者が所有するＩＣ券が，ＩＣ券としては種類の異なるＳＦＩＣ券や，期限切れＩＣ定期券であっても，ＩＣ券としての有効性が確認さえできればＩＣ定期券として発券することができる。このようにして，利用者が所有するＩＣ券を流用するか否かを選択することができ，利用者の利便性を向上させることが可能である。また，ＩＣ券判断部では，外部のホストからの情報を受信することで，ＩＣ券の有効性を判断することができる。そして，定期券発券装置の外部に専用のホストを設置することで，リアルタイムな情報の更新が可能である。
【００２３】
上記本発明の第１の観点と同様の観点から，ホストは，ＩＣ券が紛失券であるかという情報を管理するようにしてもよい（請求項１４）。また，ホストは，ＩＣ券の劣化に関する情報を管理するようにしてもよい（請求項１５）。
【００２４】
また，ＩＣ定期券発券装置については，上記本発明の第１の観点にかかるＩＣ定期券発券装置と実質的に同様の応用が可能である（請求項１６〜２５）。
【００２５】
また，本発明の他の観点によれば，コンピュータを，上記ＩＣ定期券発券装置として機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【００２６】
なお上記において，構成要素に付随して括弧書きで記した参照符号は，理解を容易にするため，後述の実施形態および図面における対応する構成要素および信号を一例として記したに過ぎず，本発明がこれに限定されるものではない。
【発明の効果】
【００２７】
以上のように，本発明によれば，ＩＣ定期券を発券する際，利用者が所有するＩＣ券を使用するか否かを選択させることができる。そして，利用者が所有するＩＣ券が，ＩＣ券としては種類の異なるＳＦＩＣ券や，期限切れＩＣ定期券であっても，ＩＣ券としての有効性が確認さえできればＩＣ定期券として発券することができる。このようにして，利用者が所有するＩＣ券を流用するか否かを選択することができ，利用者の利便性を向上させることが可能である。
【発明を実施するための最良の形態】
【００２８】
以下に添付図面を参照しながら，本発明にかかるＩＣ定期券発券装置およびＩＣ定期券発券システムの好適な実施形態について詳細に説明する。なお，本明細書および図面において，実質的に同一の機能構成を有する構成要素については，同一の符号を付することにより重複説明を省略する。
【００２９】
図１は，本実施の形態にかかるＩＣ定期券発券システム１０の概略構成を示すブロック図である。ＩＣ定期券発券システム１０は，図１に示したように，利用者（定期券購入者）が操作を行うＩＣ定期券発券装置１００と，ホスト２００を含んで構成されている。ＩＣ定期券発券装置１００とホスト２００とは，空間的に離れた位置に設置されており，何らかの形で通信を行い，情報の授受を行うことができるようにシステム構成されている。なお，本実施形態にかかるＩＣ定期券発券装置１００は，以下に説明するように，ＩＣ定期券のみを発券するものではなく，磁気定期券をも発券できるものとする。以下の説明において，単に「定期券」というときには，特に断らない限り，ＩＣ定期券と磁気定期券の両方を含むものとする。以下に，これらシステム構成要素について説明する。
【００３０】
（ＩＣ定期券発券装置１００）
ＩＣ定期券発券装置１００は，図１に示したように，装置全体の制御を行う制御部１１０と，定期券発券のための案内を表示するとともに，情報入力操作を受け付けるタッチパネル付き表示部１２０と，定期券購入の代金処理を行うための硬貨部１３０および紙幣部１４０と，定期券発券用のカード（ＩＣ券）または定期券購入の代金処理用のカードを処理するカード処理部１５０と，タッチパネル付き表示部１２０に入力された情報およびホスト２００で管理される情報に基づき，ＩＣ定期券に所定の情報を記録して発券するＩＣ定期券発券部１６０と，タッチパネル付き表示部１２０に入力された情報およびホスト２００で管理される情報に基づき，磁気定期券に所定の情報を記録して発券する磁気定期券発券部１７０と，定期券を発券するための各種情報や処理プログラムなどを記憶する記憶部１８０を備えて構成されている。
【００３１】
（制御部１１０）
制御部１１０は，例えばＣＰＵ等からなり，所定の制御プログラム（例えば，後述の記憶部１８０に記憶されているプログラム）に基づいて，定期券発券処理等を実行し，ＩＣ定期券発券装置１００の全体を制御する機能部である。また，制御部１１０は，利用者により挿入されたＩＣ券（ＩＣカード）の有効性を判断するＩＣ券判断部としての機能も有する。
【００３２】
（タッチパネル付き表示部１２０）
タッチパネル付き表示部１２０は，本発明の操作表示部の一例であり，定期券発券のための案内を表示するとともに，情報入力操作を受け付ける機能部である。タッチパネル付き表示部１２０には，定期券購入の案内画面を切り替えて表示可能な表示部（ディスプレイ）を備える。さらに，表示部は，利用者が指などでディスプレイ表面に触れることで各種操作を行うことの可能なタッチパネル方式を採用している。タッチパネル付き表示部１２０には，５０音のカナ入力ボタンや定期券購入ボタン等が表示される。利用者は，タッチパネル付き表示部１２０のタッチパネルに指などで触れることで，定期券購入操作を行うことができる。
【００３３】
（硬貨部１３０，紙幣部１４０）
硬貨部１３０および紙幣部１４０は，定期券購入の代金処理を行うための機能部である。硬貨部１３０は硬貨の入出金を扱い，紙幣部１４０は紙幣の入出金を扱う。また，代金処理を行う機能部として，代金処理後に，領収書やカード利用明細書などの各種伝票を発券する機能部を備えるようにしてもよい。
【００３４】
（カード処理部１５０）
カード処理部１５０は，定期券発券用のカードまたは定期券購入の代金処理用のカードを処理する機能部である。本実施形態では，定期券発券用のカードとしてＩＣカードを想定し，代金処理用のカードとしてクレジットカードやプリペイドカードなどを想定している。なお，定期券発券用のカード処理部と，定期券購入の代金処理用のカード処理部とを個別に設けるようにしてもよい。また，ＩＣカードを定期券発券用のカードおよび代金処理用のカードとして兼用することも可能である。
【００３５】
（ＩＣ定期券発券部１６０）
ＩＣ定期券発券部１６０は，タッチパネル付き表示部１２０に入力された情報およびホスト２００で管理される情報に基づき，ＩＣ定期券に所定の情報を記録して発券する機能部である。より具体的には，ＩＣ定期券発券部１６０は，ＩＣ定期券の発券処理（表面への印刷・リライト印刷（書き換え可能な印刷面の消去・印刷），ＩＣへの記録）や，挿入されたＩＣ定期券の読み取り（ＩＣの読み取り）を行う。また，利用者により挿入されたＩＣ券を定期券として発券する場合は，ＩＣ定期券の発券処理を行う。
【００３６】
（磁気定期券発券部１７０）
磁気定期券発券部１６０は，タッチパネル付き表示部１２０に入力された情報およびホスト２００で管理される情報に基づき，磁気定期券に所定の情報を記録して発券する機能部である。より具体的には，磁気定期券発券部１７０は，磁気定期券の発券（表面への印刷，磁気面への記録）や，挿入された磁気的券の読み取り（磁気面の読み取り）を行う。
【００３７】
（記憶部１８０）
記憶部１８０は，ＩＣ定期券を発券するための各種情報やプログラムなどを記憶する機能部である。記憶部１８０は，例えば，ＲＯＭやＲＡＭ等の半導体メモリ，ＦＤが装着されるＦＤドライバ，ＨＤ（ハードディスク）が装着されるＨＤドライバ，ＭＯ（光磁気）ディスクが装着されるＭＯドライバ等からなる。また，記憶部１８０は，利用者から入力される各種情報を一時的に，あるいは一定期間，記憶保持するようにしてもよい。
【００３８】
以上，利用者が操作するＩＣ定期券発券装置１００について説明した。上記構成は，ＩＣ定期券発券装置１００の構成の一例を説明したに過ぎない。この他にも例えば，駅係員と通話するためのインターホン装置などを，ＩＣ定期券発券装置１００と一体に，あるいは，ＩＣ定期券発券装置１００の周辺に備えるようにしてもよい。
【００３９】
（ホスト２００）
ホスト２００は，通信回線を介してＩＣ定期券発券装置１００と接続され，定期券発券のための各種情報を管理する。ホスト２００が管理する情報には，利用者によりＩＣ定期券発券装置１００に挿入されたＩＣ定期券の検定のための情報（ＩＣ定期券の盗難情報等）や，駅ごとに使用可能な券の種類（ＩＣ券か磁気券か）などが含まれる。なお，ホスト２００は，定期的にＩＣ定期券発券装置１００の記憶部１８０との間で情報の授受を行うようにしてもよい。すなわち，ホスト２００が管理する情報のうち少なくとも一部は，ＩＣ定期券発券装置１００の記憶部１８０に，一時的に，あるいは一定期間，記憶保持されるようにしてもよい。
【００４０】
以上，本実施の形態にかかるＩＣ定期券発券システム１０の構成について説明した。
次いで，本実施の形態の動作について，図２〜図１７を参照しながら説明する。
【００４１】
図２は，本実施の形態の動作を示すフローチャートである。
まず，本実施の形態の動作を，図２を参照しながら概略的に説明する。まず，利用者が定期券の新規／継続の種別を選択する（ステップＳ１０２〜Ｓ１０４），本実施形態では，新規定期券が選択されるものとする。利用者が新規定期券を選択し，定期券発券のための各種情報を入力する（ステップＳ１０６〜Ｓ１１４）。次いで，定期券のＩＣ／磁気の種別を判断する（ステップＳ１１６〜Ｓ１２０）。さらに，利用者が所有するＩＣ券を媒体流用するか新たにＩＣ券を購入するかを選択し（ステップＳ１２２），ＩＣ券検定（ステップＳ１２４〜Ｓ１３０）または所定の情報を入力（ステップＳ１３２〜Ｓ１３８）の後，定期券が発券される（ステップＳ１４０〜Ｓ１４２）。なお，利用者が継続定期券を選択した場合（ステップＳ１４４〜Ｓ１５５）については，本発明の第２の実施形態で説明する。
【００４２】
以下，ステップごとに，図３〜図１９を参照しながら順に説明する。図３〜図１９は，ＩＣ定期券発券装置１００のタッチパネル付き表示部１２０に表示される情報を示す説明図である。
【００４３】
まず，利用者が定期券の種別を選択するステップ（ステップＳ１０２〜Ｓ１０４）について説明する。
【００４４】
＜メニュー選択（ステップＳ１０２）＞
図３に示したように，タッチパネル付き表示部１２０にメニュー選択画面が表示される。ＩＣ定期券発券装置１００が定期券の他に通常の切符も発券する装置である場合には，図３に示したように，「指定席券」，「自由席券」，「定期券」のように，乗車券の種類が表示される。利用者は，タッチパネル付き表示部１２０に表示された「指定席券」，「自由席券」，「定期券」の領域を指などで直接触れることにより，乗車券の種類を選択することができる（以下の画面でも同様である）。また，購入動作を取り消すときには，画面右下の「取消」に触れることで，取消動作を行う。以下では，利用者が「定期券」を選択した場合について説明する。
【００４５】
＜新規／継続購入選択（ステップＳ１０４）＞
利用者がメニュー選択画面において「定期券」を選択すると，図４に示したように，タッチパネル付き表示部１２０に新規／継続購入選択画面が表示される。ＩＣ定期券発券装置１００が新規定期券および継続定期券を発券する装置である場合には，「新規購入」，「継続購入」のように，定期券の購入種別（購入区分）が表示される。また，この画面以降では，画面右下に「戻る」が表示される。この「戻る」に触れることで，直前の画面に戻ることができる。以下では，利用者が「新規購入」を選択した場合について説明する。「継続購入」を選択した場合については，本発明の第２の実施形態として後述する。
【００４６】
以上，利用者が定期券の種別を選択するステップ（ステップＳ１０２〜Ｓ１０４）について説明した。次いで，利用者が定期券発券のための各種情報を入力するステップ（ステップＳ１０６〜Ｓ１１４）について説明する。本実施の形態では，定期券発券のための各種情報を利用者が入力するものとして説明するが，例えば，駅係員が利用者から各種情報を得て（口頭，定期券購入申込書，各種証明書等により），その情報に基づいて駅係員が入力作業を行ってもよい。
【００４７】
＜有効期間選択（ステップＳ１０６）＞
利用者が新規／継続購入選択画面において「新規購入」を選択すると，図５に示したように，タッチパネル付き表示部１２０に有効期間選択画面が表示される。ここで有効期間は，定期券を利用する期間であり，あらかじめ，月単位（あるいは週単位，年単位など）で発券可能な期間を定めておくものとする。なおここでの「有効期間」とは定期券の有効期間（利用期間）のことであり，ＩＣ券自体に設定されたＩＣ券の有効期間とは異なるものである。
【００４８】
＜利用開始日選択（ステップＳ１０８）＞
利用者が有効期間選択画面において有効期間を選択すると，図６に示したように，タッチパネル付き表示部１２０に利用開始日選択画面が表示される。利用開始日は，新規定期券の場合，一般には，当日または翌日である。新規定期券の場合，「本日」，「明日」のキーのみを画面表示するようにしてもよい。
【００４９】
次いで，定期券発券のための情報のうち，定期券の有効区間に関する情報を入力するステップ（ステップＳ１１０〜Ｓ１１４）について説明する。
【００５０】
＜乗車駅名入力（ステップＳ１１０）＞
有効期間および利用開始日の選択が終了すると，図７に示したように，タッチパネル付き表示部１２０に乗車駅名入力画面が表示される。本実施の形態では，乗車駅名の入力および選択の一例として，以下の方式を採用する。まず，図７に示した乗車駅名入力画面にカナが５０音表示されるので，利用者は乗車駅名をカナ入力する。入力を誤った場合には，画面右上の「訂正」キーを押下する。入力したカナで始まる乗車駅が所定数に絞り込まれた時点，例えば１画面中に表示可能な数以内に絞り込まれた時点，あるいは，「確定」キーが押下された時点で，次の段階に進む。
【００５１】
＜乗車駅名選択（ステップＳ１１０）＞
乗車駅名が所定数に絞り込まれた時点，あるいは，「確定」キーが押下された時点で，図８に示したように，タッチパネル付き表示部１２０に乗車駅名選択画面が表示される。この例では，乗車駅名入力画面で，「トウ」と入力された時点で「確定」キーが押下された場合を示している。この例では，「トウ」で始まる乗車駅名数が１画面に表示可能な数（この例では２０）を越えているため，画面切り替えキーである「前へ」，「後へ」キーが表示されている。利用者は，この画面切り替えキーである「前へ」，「後へ」キーを押下することにより，残りの乗車駅名候補を確認することができる。
【００５２】
＜降車駅名入力（ステップＳ１１２）＞
乗車駅が確定すると，図９に示したように，タッチパネル付き表示部１２０に降車駅名入力画面が表示される。降車駅名の入力および選択の一例としては，上述した乗車駅名の入力および選択と同様の方式を採用することができる。従って，入力したカナで始まる降車駅が所定数に絞り込まれた時点，例えば１画面中に表示可能な数以内に絞り込まれた時点，あるいは，「確定」キーが押下された時点で，次の段階に進む。
【００５３】
＜降車駅名選択（ステップＳ１１２）＞
降車駅名が所定数に絞り込まれた時点，あるいは，「確定」キーが押下された時点で，図１０に示したように，タッチパネル付き表示部１２０に降車駅名選択画面が表示される。この例では，降車駅名入力画面で，「トウ」と入力された時点で「確定」キーが押下された場合を示している。この例でも，「トウ」で始まる降車駅名数が１画面に表示可能な数（この例では２０）を越えているため，画面切り替えキーである「前へ」，「後へ」キーが表示されている。利用者は，この画面切り替えキーである「前へ」，「後へ」キーを押下することにより，残りの降車駅名候補を確認することができる。
【００５４】
＜経路選択（ステップＳ１１４）＞
乗車駅名および降車駅名が確定すると，図１１に示したように，タッチパネル付き表示部１２０に経路選択画面が表示される。ここで表示される経路としては，選択された乗車駅名と降車駅名に基づき，距離の短い順，移動時間の短い順，乗り換え回数の少ない順，料金の低い順など，一般に利用される可能性が高い経路を表示する。経路の候補が１画面中に表示可能な数を越えている場合には，画面切り替えキーである「前へ」，「後へ」キーが表示される。利用者は，この画面切り替えキーである「前へ」，「後へ」キーを押下することにより，残りの経路候補を確認することができる。
【００５５】
次いで，本実施形態に特徴的なステップである，定期券のＩＣ／磁気の種別を判断するステップ（ステップＳ１１６〜Ｓ１２０）について説明する。
【００５６】
＜券種判断（ステップＳ１１６）＞
選択された経路に基づき，経路上の駅で使用可能な券種（ＩＣ券または磁気券）を，ホスト２００（または記憶部１８０）を参照して抽出する。
（ａ）経路上のすべての駅でＩＣ券が使用可能で，かつ１以上の駅で磁気券が使用できない場合は「ＩＣ券の発券」を選択する。
（ｂ）経路上のすべての駅で磁気券が使用可能で，かつ１以上の駅でＩＣ券が使用できない場合は「磁気券の発券」を選択する。
（ｃ）経路上のすべての駅でＩＣ券・磁気券ともに使用可能な場合は，券種を利用者に選択させる。
【００５７】
本実施形態では，すべての駅でＩＣ券または磁気券の少なくともいずれかが使用可能であることを想定している。また，ＩＣ券のみが使用可能である駅と磁気券のみが使用可能である駅とが混在していないものとする。このような前提は，例えば，ＩＣ券のみが使用可能な路線と，磁気券およびＩＣ券が使用可能な路線とにまたがる場合であっても，ＩＣ定期券の発券が可能であることを意味している。この際，ＩＣ定期券の使用区間には，磁気券のみが使用可能な駅（路線）は含まれないものとする。
【００５８】
ステップＳ１１６において（ａ）経路上のすべての駅でＩＣ券が使用可能で，かつ１以上の駅で磁気券が使用できない場合には，ＩＣ券を発券するため，ＩＣ券処理（ステップＳ１２２以降）に進む。ステップＳ１１６において（ｂ）経路上のすべての駅で磁気券が使用可能で，かつ１以上の駅でＩＣ券が使用できない場合には，磁気券を発券するため，磁気券処理（ステップＳ１１８）に進む。なお，磁気券処理（ステップＳ１１８）については，一般的な定期券発券処理であるため，説明を省略する。
【００５９】
＜ＩＣ／磁気選択（ステップＳ１２０）＞
ステップＳ１１６において（ｃ）経路上のすべての駅でＩＣ券・磁気券ともに使用可能な場合には，図１２に示したように，タッチパネル付き表示部１２０にＩＣ／磁気選択画面が表示される。利用者は，発券する定期券をＩＣ券にするか，磁気券にするかを選択することができる。
【００６０】
＜ＩＣ券購入可否選択（ステップＳ１２２）＞
ステップＳ１１６において（ａ）経路上のすべての駅でＩＣ券が使用可能で，かつ１以上の駅で磁気券が使用できない場合，または，ステップＳ１２０においてＩＣ券が選択された場合には，図１３に示したように，タッチパネル付き表示部１２０にＩＣ券購入可否選択画面が表示される。利用者は，新規にＩＣ定期券を発券するか，手持ちのＩＣ券（期限切れＩＣ定期券またはＳＦＩＣ乗車券）を使用するかを選択することができる。
なお，ＳＦ（Ｓｔｏｒｅｄ  Ｆａｉｒ）ＩＣ乗車券とは，料金をチャージしておき，利用区間の乗車運賃を差し引く乗車券のことをいう。
【００６１】
＜ＩＣ券挿入（ステップＳ１２４）＞
手持ちＩＣ券の使用が選択された場合には，図１４に示したように，タッチパネル付き表示部１２０にＩＣ券挿入指示画面が表示され，利用者にＩＣ券の挿入を促す。
【００６２】
＜ＩＣ券検定（ステップＳ１２６）＞
挿入されたＩＣ券が使用可能か否かを確認するため，ＩＣ券のＩＤ番号を読み取り，ホスト２００に送信する。ホスト２００では，ＩＣ券のＩＤ番号に対応付けて，そのＩＣ券の有効性（使用可能か否か）の情報を蓄積している。例えば，紛失届けが出されたＩＣ券やＩＣ券自体の仕様が古いＩＣ券（劣化したＩＣ券）等の情報をリアルタイムで蓄積しており，ＩＣ定期券発券装置１００から送信されたＩＤ番号が，紛失届けが出されたＩＣ券のものであった場合は，使用不可である旨をＩＣ定期券発券装置１００に返信する。ＩＣ定期券発券装置１００がホスト２００から使用可である旨を受信した場合は，以降の処理に進み，使用不可である旨を受信した場合は，使用できない旨を表示してＩＣ券を返却する（ステップＳ１２８）。ホスト２００から返信する情報に，使用可否に加え，紛失カードである旨の情報を追加すれば，ＩＣ定期券発券装置１００がこの情報を受信した場合に，カードは返却せずに，カードが使用できない旨を表示して窓口に行くよう案内し，そこで事情を確認することもできる。これにより，紛失カードの返却による再利用防止が図れる。
【００６３】
＜個人情報設定要否（ステップＳ１３０）＞
ＩＣ券検定の結果，ＩＣ券の有効性が確認された場合，ＩＣ券の情報を読み取り，個人情報の有無を判断する。個人情報が無い場合（例えば，ＳＦＩＣ券を想定）は，氏名入力以降の操作を案内する。なお，この個人情報設定要否は，ＩＣ券検定（ステップＳ１２６）におけるＩＣ券のＩＤ番号読み取り時に行ってもよい。個人情報がある場合（ＳＦＩＣ券と期限切れＩＣ定期券を想定）は，内容確認を案内する。ここで，個人情報とは，氏名，性別，生年月日，電話番号などである。カード検索番号を利用者に確認させる場合には，情報の漏洩を防止するため，カード検索番号の一部を確認させるようにしてもよい。
【００６４】
なお，個人情報ありの場合，期限切れ日から所定期間以上経過しているかを判断し，経過している場合は，変更している可能性がある電話番号の入力案内にスキップしても構わない。これは，ＳＦＩＣ券には，氏名情報を入力するタイプと，氏名情報を入力しないタイプがあることを想定したものである。
【００６５】
次いで，定期券発券のための情報のうち，利用者に関する情報を入力するステップ（ステップＳ１３２〜Ｓ１３８）について説明する。ここでは，利用者に関する情報の一例として，氏名，性別，生年月日，および電話番号を入力する場合について説明する。
【００６６】
＜氏名入力（ステップＳ１３２）＞
まず，図１５に示したように，タッチパネル付き表示部１２０に氏名入力画面が表示される。この氏名入力画面では，カナが５０音表示されるので，利用者は氏名をカナ入力する。入力を誤った場合には，画面右上の「訂正」キーを押下する。入力を終了した後，画面右上の「確定」キーを押下する。
【００６７】
＜性別・生年月日入力（ステップＳ１３４）＞
次いで，図１６に示したように，タッチパネル付き表示部１２０に性別年齢入力画面が表示される。この性別年齢入力画面では，性別を選択するための「男性」，「女性」キー，および，生年月日を選択するための数字キーなどが表示される。この際，入力された生年月日に基づいて，利用者の年齢を算出することが可能である。年齢は，操作日付と生年月日との差により算出することができる。また，生年月日を入力させる代わりに，年齢を入力させるようにしてもよい。
【００６８】
＜電話番号入力（ステップＳ１３６）＞
次いで，図１７に示したように，タッチパネル付き表示部１２０に電話番号入力画面が表示される。この電話番号入力画面では，電話番号を入力するための数字キーなどが表示される。
【００６９】
＜カード検索番号入力（ステップＳ１３８）＞
次いで，図１８に示したように，タッチパネル付き表示部１２０にカード検索番号入力画面が表示される。このカード検索番号入力画面では，定期券を紛失した場合に，定期券を検索するための検索番号を入力するための数字キーなどが表示される。
【００７０】
以上，定期券発券のための各種情報を入力するステップ（ステップＳ１０６〜Ｓ１３８）について説明した。次いで，定期券の内容確認および定期券の発券が行われる（ステップ１４０）。
【００７１】
＜内容確認（ステップＳ１４０）＞
まず，図１９に示したように，タッチパネル付き表示部１２０に内容確認画面が表示される。この内容確認画面では，上述の定期券発券のための各種情報を入力するステップ（ステップＳ１０６〜Ｓ１３８）で入力された定期券種，区間，経由，氏名，性別，年齢，電話番号に加え，定期券の購入金額等が表示される。また，利用者により挿入されたＩＣ券から読み出した情報がある場合にはこれを表示する。利用者は，内容を確認した後，画面左下の「確認」キーを押下する。また，内容の訂正がある場合には，画面上の該当項目に触れると，入力画面に遷移して内容を訂正することができる。
【００７２】
この際，ステップＳ１３０の個人情報設定要否にて個人情報要と判断され，個人情報の設定を行った場合（ステップＳ１３２〜Ｓ１３８），個人情報の少なくとも一部（例えば，生年月日等）をマスクして表示させないことも可能である。このようにして，紛失届け前の盗難カード等からの情報の漏洩を防止することができる。
【００７３】
＜代金処理・発券処理（ステップＳ１４２）＞
内容確認が終了すると，代金処理および発券処理を行う。
タッチパネル付き表示部１２０には，現金の投入または決済用カード投入指示画面（不図示）が表示され，利用者に操作を促し，投入された現金の確認または投入カードによる決済処理を行う。また，代金処理完了後の発券処理では，定期券表面に，以下の印刷情報を印刷するとともに，定期券の磁気ストライプまたはＩＣ等の情報記録部１０３に以下の情報を記録し，発券口から排出する。
【００７４】
情報記録部１０３に記録される情報には，定期券に印刷される印刷情報，次回以降の定期券発券などに用いられる記録情報などが含まれる。ここで印刷情報には，乗車駅，降車駅，経由駅，有効期間（利用開始日，利用期間満了日，利用月数），購入者の氏名，性別，年齢，発券日などが含まれ，これら情報が定期券に印刷される。また，記録情報には，乗車駅情報，降車駅，経由駅，有効期間（利用開始日，利用期間満了日，利用月数），新規／継続発券の種別，発券日，発券場所，購入者の氏名，性別，年齢，電話番号などが含まれる。
【００７５】
（第１の実施形態の効果）
以上説明したように，本実施形態によれば，ＩＣ定期券を新規発券する際，利用者が所有するＩＣ券を使用するか否かを選択させることができる。そして，利用者が所有するＩＣ券が，ＩＣ券としては種類の異なるＳＦＩＣ券や，期限切れＩＣ定期券であっても，ＩＣ券としての有効性が確認さえできればＩＣ定期券として発券することができる。このようにして，利用者が所有するＩＣ券を流用するか否かを選択することができ，利用者の利便性を向上させることが可能である。
【００７６】
（第２の実施形態）
本発明の第２の実施形態として，上記のステップＳ１０４（図２）で，利用者が「継続購入」を選択した場合について説明する。図２０，図２１は，ＩＣ定期券発券装置１００のタッチパネル付き表示部１２０に表示される情報を示す説明図である。
【００７７】
＜ＩＣ券挿入（ステップＳ１４４）＞
ステップＳ１０４（図２）で，継続定期券の発券が選択された場合には，図２０に示したように，タッチパネル付き表示部１２０にＩＣ券挿入指示画面が表示され，利用者にＩＣ券の挿入を促す。
【００７８】
＜ＩＣ券検定（ステップＳ１４６）＞
挿入されたＩＣ券が使用可能か否かを確認するため，ＩＣ券のＩＤ番号を読み取り，ホスト２００に送信する。ホスト２００では，ＩＣ券のＩＤ番号に対応付けて，そのＩＣ券が有効性（使用可能か否か）の情報を蓄積している。例えば，紛失届けが出されたＩＣ券やＩＣ券自体の仕様が古いＩＣ券（劣化したＩＣ券）等の情報をリアルタイムで蓄積しており，ＩＣ定期券発券装置１００から送信されたＩＤ番号が，紛失届けが出されたＩＣ券のものであった場合は，使用不可である旨をＩＣ定期券発券装置１００に返信する。ＩＣ定期券発券装置１００がホスト２００から使用可である旨を受信した場合は，以降の処理に進み，使用不可である旨を受信した場合は，使用できない旨を表示してＩＣ券を返却する（ステップＳ１４８）。ホスト２００から返信する情報に，使用可否に加え，紛失カードである旨の情報を追加すれば，ＩＣ定期券発券装置１００がこの情報を受信した場合に，カードは返却せずに，カードが使用できない旨を表示して窓口に行くよう案内し，そこで事情を確認することもできる。これにより，紛失カードの返却による再利用防止が図れる。
【００７９】
＜内容確認（ステップＳ１５０）＞
図２１に示したように，タッチパネル付き表示部１２０に内容確認画面が表示される。この内容確認画面では，主に利用者により挿入されたＩＣ券から得られる情報が表示される。表示される情報としては，ＩＣ定期券の有効期間（１ヶ月，３ヶ月，６ヶ月等），利用終了日（利用開始日と有効期間情報から算出してもよい）の他，定期券種，区間，経由，氏名，性別，年齢，電話番号に加え，定期券の購入金額が表示される。また利用者により挿入されたＩＣ券の利用終了日の翌日を，継続定期券の利用開始日として表示する。利用者は，内容を確認した後，画面左下の「確認」キーを押下する。また，内容の訂正がある場合には，画面上の該当項目に触れると，入力画面に遷移して内容を訂正することができる。
【００８０】
この際，個人情報の少なくとも一部（例えば，生年月日等）をマスクして表示させないことも可能である。このようにして，紛失届け前の盗難カード等からの情報の漏洩を防止することができる。
【００８１】
期限切れ定期券が挿入された場合は，期限切れから所定の期間内（例えば，１ヶ月）であれば，継続発券処理にて新規発券する。この場合，利用開始日は購入日を用い，有効期間は，読み出した有効期間を用いる。また，確認画面で，有効期間，利用開始日に触れると訂正することができる。この際，訂正可能な項目のみを別の色等で表示すると，更に操作性が向上する。所定期間を過ぎている場合は，その旨を表示して，定期券を返却する。以降は，第１の実施形態と同様に代金処理・発券を行う。
【００８２】
（第２の実施形態の効果）
以上説明したように，本実施形態によれば，ＩＣ定期券を継続発券する際，利用者が所有するＩＣ券を使用するか否かを選択させることができる。そして，利用者が所有するＩＣ券が期限切れＩＣ定期券であっても，ＩＣ券としての有効性が確認さえできればＩＣ定期券として発券することができる。このようにして，利用者が所有するＩＣ券を流用するか否かを選択することができ，利用者の利便性を向上させることが可能である。
【００８３】
以上，添付図面を参照しながら本発明にかかるＩＣ定期券発券装置およびＩＣ定期券発券システムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００８４】
例えば，上記実施形態においては，定期券の種別として，通勤定期券と通学定期券との区別を特にしていないが，いずれの定期券であっても本願発明を適用することができる。
【産業上の利用可能性】
【００８５】
本発明は，ＩＣ定期券発券装置およびＩＣ定期券発券システムに利用可能であり，特に，ＩＣ券（ＩＣカード）の再利用または流用を行うＩＣ定期券発券装置およびＩＣ定期券発券システムに利用可能である。
【図面の簡単な説明】
【００８６】
【図１】ＩＣ定期券発券システムの概略を示すブロック図である。
【図２】ＩＣ定期券発券システムの動作を示す流れ図である。
【図３】メニュー選択画面を示す説明図である。
【図４】新規／継続購入選択画面を示す説明図である。
【図５】有効期間選択画面を示す説明図である。
【図６】利用開始日選択画面を示す説明図である。
【図７】乗車駅名入力画面を示す説明図である。
【図８】乗車駅名選択画面を示す説明図である。
【図９】降車駅名入力画面を示す説明図である。
【図１０】降車駅名選択画面を示す説明図である。
【図１１】経路選択画面を示す説明図である。
【図１２】ＩＣ／磁気選択画面を示す説明図である。
【図１３】ＩＣ券購入可否選択画面を示す説明図である。
【図１４】ＩＣ券挿入指示画面を示す説明図である。
【図１５】氏名入力画面を示す説明図である。
【図１６】性別・生年月日入力画面を示す説明図である。
【図１７】電話番号入力画面を示す説明図である。
【図１８】カード検索番号入力画面を示す説明図である。
【図１９】内容確認画面を示す説明図である。
【図２０】ＩＣ券挿入指示画面を示す説明図である。
【図２１】内容確認画面を示す説明図である。
【符号の説明】
【００８７】
１０  ＩＣ定期券発券システム
１００  ＩＣ定期券発券装置
１１０  制御部
１２０  タッチパネル付き表示部
１３０  硬貨部
１４０  紙幣部
１５０  カード処理部
１６０  ＩＣ定期券発券部
１７０  磁気定期券発券部
１８０  記憶部
２００  ホスト
【図１】
2006277679.tif 000003
【図２】
2006277679.tif 000004
【図３】
2006277679.tif 000005
【図４】
2006277679.tif 000006
【図５】
2006277679.tif 000007
【図６】
2006277679.tif 000008
【図７】
2006277679.tif 000009
【図８】
2006277679.tif 000010
【図９】
2006277679.tif 000011
【図１０】
2006277679.tif 000012
【図１１】
2006277679.tif 000013
【図１２】
2006277679.tif 000014
【図１３】
2006277679.tif 000015
【図１４】
2006277679.tif 000016
【図１５】
2006277679.tif 000017
【図１６】
2006277679.tif 000018
【図１７】
2006277679.tif 000019
【図１８】
2006277679.tif 000020
【図１９】
2006277679.tif 000021
【図２０】
2006277679.tif 000022
【図２１】
2006277679.tif 000023